(57)【特許請求の範囲】
【請求項１】
入力信号についての測定データを生成する測定部と、前記測定データおよび予め設定された設定値の比較結果に基づいてトリガ信号を出力するトリガ信号出力部と、当該トリガ信号出力部から前記トリガ信号が出力されたときに記録条件が満たされたとして、前記生成された測定データを記録部に記録させると共に当該記録させた測定データに基づいて前記入力信号の第１の信号波形を表示部に表示させる制御部とを備えた波形記録装置であって、
前記制御部は、動作条件設定画面の表示を指示されたとき、および前記第１の信号波形を表示するための記録波形表示画面を前記表示部に表示させている状態において前記記録条件が満たされていないときのいずれにおいても波形表示条件が満たされたとして、前記生成された測定データに基づいて波形表示用データを生成すると共に当該生成した波形表示用データに基づいて前記入力信号の第２の信号波形を前記表示部に表示させる波形記録装置。
【請求項２】
前記制御部は、前記記録条件として設定されているトリガレベルを示すトリガレベル表示を前記第２の信号波形に関連付けて表示させる請求項１記載の波形記録装置。
【請求項３】
入力信号についての測定データを生成し、当該測定データおよび予め設定された設定値の比較結果に基づくトリガ信号が出力されたときに記録条件が満たされたとして当該生成した測定データを記録部に記録すると共に当該記録した測定データに基づいて前記入力信号の第１の信号波形を表示部に表示させ、動作条件設定画面の表示を指示されたとき、および前記第１の信号波形を表示するための記録波形表示画面を前記表示部に表示させている状態において前記記録条件が満たされていないときのいずれにおいても波形表示条件が満たされたとして前記生成した測定データに基づいて波形表示用データを生成すると共に当該生成した波形表示用データに基づいて前記入力信号の第２の信号波形を前記表示部に表示させる波形表示方法。
【請求項４】
前記記録条件として設定されているトリガレベルを示すトリガレベル表示を前記第２の信号波形に関連付けて表示させる請求項３記載の波形記録方法。
【発明の詳細な説明】
【技術分野】
【０００１】
本発明は、入力信号についての測定データを生成してその測定データを記録部に記録させると共に測定データに基づいて入力信号の第１の信号波形を表示部に表示させる波形記録装置および波形表示方法に関するものである。
【背景技術】
【０００２】
この種の波形表示方法に従って信号波形を表示可能な波形記録装置として、出願人は、入力データ（入力信号についてのサンプリングデータ）をストレージメモリに記録可能に構成した波形記録計を特開平１０−３１０３６号公報に開示している。この波形記録計では、Ａ／Ｄ変換器が入力信号をデジタルデータに変換して入力データを生成し、ストレージコントローラがこの入力データをＣＰＵの制御に従ってメモリ（ストレージメモリ）に順次書き込む（記録させる）。この際に、出願人が開示している波形記録計では、ストレージコントローラによる入力データの記録処理と並行して、レベルモニタコントローラが、記録処理中の入力データを対象として所定時間内における最大値（ＭＡＸ）および最小値（ＭＩＮ）を演算し、その演算結果（信号レベル）をバーグラフとして表示部に表示させる。これにより、利用者に対して、その時点においてメモリに記録されている入力信号の信号レベルを直感的に認識させることが可能となっている。
【０００３】
また、この種の波形記録計では、設定時間分の入力データの記録を完了した状態において所定の表示操作を行うことにより、ＣＰＵがメモリから入力データを読み出し、読み出した入力データに基づいて上記の入力信号の信号波形を表示部に表示させることが可能となっている。これにより、表示された信号波形を参照して、入力信号の信号特性などを判定したり、入力データの記録条件の設定内容を確認して、必要に応じて所望の記録条件を再設定して記録処理を再び実行したりすることができる。
【特許文献１】特開平１０−３１０３６号公報（第３−４頁、第１−３図）
【発明の開示】
【発明が解決しようとする課題】
【０００４】
ところが、出願人が開示している波形記録計には、以下の改善すべき課題が存在する。すなわち、出願人が開示している波形記録計では、利用者に対して入力信号の信号レベルを認識させるために、メモリに記録させている入力データを対象とする演算処理を実行し、その演算結果（信号レベル）をバーグラフとして表示させる構成を採用している。しかしながら、この波形記録計では、ストレージコントローラによる記録処理と並行してバーグラフを表示させる構成を採用しているため、記録処理の開始に先立って、利用者が入力信号の信号レベルを認識するのが困難となっている。したがって、この波形記録計では、入力信号の信号レベルに応じた適正な記録条件を記録処理の開始に先立って設定するのが困難となっており、この点を改善するのが好ましい。
【０００５】
この場合、上記の改善すべき課題を解決すべく、出願人は、記録処理の実行中以外であってもストレージコントローラがＡ／Ｄ変換器によって生成された入力データを対象とする演算処理を実行して上記のバーグラフを表示可能に構成した波形記録計を開発している。しかしながら、このような構成を採用したとしても、バーグラフを参照しただけでは、記録条件のうちの時間軸方向の設定値（サンプリング周期など）が適正な設定値となっているか否かを認識するのが困難となっている。このため、このような構成を採用したとしても、時間軸方向の設定値が適正な設定値となっているか否かを確認するためには、例えば適当なサンプリング周期等を設定して記録処理を実行し、その後に、メモリに記録されている入力データに基づく信号波形を表示部に表示させる必要がある。このため、時間軸方向の設定値を含む各記録条件を入力信号に応じて適正な設定値とするための作業が煩雑となっており、この点を改善するのが好ましい。
【０００６】
本発明は、かかる解決すべき課題に鑑みてなされたものであり、時間軸方向の設定値を含む記録条件を適正かつ容易に設定し得る波形記録装置および波形表示方法を提供することを主目的とする。
【課題を解決するための手段】
【０００７】
上記目的を達成すべく請求項１記載の波形記録装置は、入力信号についての測定データを生成する測定部と、前記測定データおよび予め設定された設定値の比較結果に基づいてトリガ信号を出力するトリガ信号出力部と、当該トリガ信号出力部から前記トリガ信号が出力されたときに記録条件が満たされたとして、前記生成された測定データを記録部に記録させると共に当該記録させた測定データに基づいて前記入力信号の第１の信号波形を表示部に表示させる制御部とを備えた波形記録装置であって、前記制御部は、動作条件設定画面の表示を指示されたとき、および前記第１の信号波形を表示するための記録波形表示画面を前記表示部に表示させている状態において前記記録条件が満たされていないときのいずれにおいても波形表示条件が満たされたとして、前記生成された測定データに基づいて波形表示用データを生成すると共に当該生成した波形表示用データに基づいて前記入力信号の第２の信号波形を前記表示部に表示させる。
【００１０】
さらに、請求項２記載の波形記録装置は、請求項１記載の波形記録装置において、前記制御部が、前記記録条件として設定されているトリガレベルを示すトリガレベル表示を前記第２の信号波形に関連付けて表示させる。
【００１１】
また、請求項３記載の波形表示方法は、入力信号についての測定データを生成し、当該測定データおよび予め設定された設定値の比較結果に基づくトリガ信号が出力されたときに記録条件が満たされたとして当該生成した測定データを記録部に記録すると共に当該記録した測定データに基づいて前記入力信号の第１の信号波形を表示部に表示させ、動作条件設定画面の表示を指示されたとき、および前記第１の信号波形を表示するための記録波形表示画面を前記表示部に表示させている状態において前記記録条件が満たされていないときのいずれにおいても波形表示条件が満たされたとして前記生成した測定データに基づいて波形表示用データを生成すると共に当該生成した波形表示用データに基づいて前記入力信号の第２の信号波形を前記表示部に表示させる。さらに、請求項４記載の波形表示方法は、請求項３記載の波形表示方法において、前記記録条件として設定されているトリガレベルを示すトリガレベル表示を前記第２の信号波形に関連付けて表示させる。
【発明の効果】
【００１２】
請求項１記載の波形記録装置では、制御部が、波形表示条件が満たされたときに、測定部によって生成された測定データに基づいて波形表示用データを生成すると共に生成した波形表示用データに基づいて入力信号の第２の信号波形を表示部に表示させる。また、請求項３記載の波形表示方法では、波形表示条件が満たされたときに、生成した測定データに基づいて波形表示用データを生成すると共に生成した波形表示用データに基づいて入力信号の第２の信号波形を表示部に表示させる。
【００１３】
したがって、請求項１記載の波形記録装置および請求項３記載の波形表示方法によれば、出願人が開発した従来の波形記録計のようにその時点における入力信号の信号レベルをバーグラフで表示させる構成とは異なり、時間軸方向の設定値を含む記録条件が適正な条件に設定されているか否かを正確かつ容易に認識させることができる。このため、この波形記録装置および波形表示方法によれば、表示された第２の信号波形を参照して、各記録条件を適正かつ容易に設定することができる。
【００１４】
この場合、動作条件設定画面の表示を指示されたときに、波形表示条件が満たされたとして波形表示用データを生成して第２の信号波形を表示させることにより、例えば適当な動作条件を設定して記録処理を実行し、その後に、メモリに記録されているデータに基づく信号波形を表示させて、動作条件の設定が適正な設定値であるか否かを判別するといった煩雑な作業を行うことなく、動作条件設定画面を表示させた状態を維持して、その時点における入力信号の第２の信号波形を参照しつつ、動作条件を設定することができる。このため、この種の波形記録装置の操作に不慣れな利用者に対しても、所望の（適正な）動作条件を容易に設定させることができる。
【００１５】
また、第１の信号波形を表示するための記録波形表示画面を表示部に表示させている状態において記録条件が満たされていないときに、波形表示条件が満たされたとして波形表示用データを生成して第２の信号波形を表示させることにより、測定データの記録が開始されないとき（記録条件が満たされないとき）に、入力信号の信号レベルが低いことに起因して記録処理が開始されないのか、トリガレベルの設定値等が適正ではないことに起因して記録処理が開始されないのかを第２の信号波形を参照することで確実かつ容易に認識させることができる。このため、この種の波形記録装置の操作に不慣れな利用者に対しても、所望の（適正な）動作条件を容易に設定させることができる。
【００１６】
さらに、請求項２記載の波形記録装置、および請求項４記載の波形表示方法によれば、記録条件として設定されているトリガレベルを示すトリガレベル表示を第２の信号波形に関連付けて表示させることにより、測定データの記録が開始されないとき（記録条件が満たされないとき）に、入力信号の信号レベルが低いことに起因して記録処理が開始されないのか、トリガレベルの設定値等が適正ではないことに起因して記録処理が開始されないのかを第２の信号波形およびトリガレベル表示を参照することで一層確実かつ容易に認識させることができる。
【発明を実施するための最良の形態】
【００１７】
以下、本発明に係る波形記録装置および波形表示方法の最良の形態について、添付図面を参照して説明する。
【００１８】
最初に、波形記録装置１の構成について、図面を参照して説明する。
【００１９】
図１に示す波形記録装置１は、本発明に係る波形記録装置の一例であって、Ａ／Ｄ変換部２ａ，２ｂ、トリガ信号出力部３、制御部４、メモリ５、操作部６、表示部７、主制御部８およびデータ記録部９を備えて構成されている。この場合、この波形記録装置１では、一例として、トリガ信号出力部３および制御部４がＦＰＧＡ（Field Programmable Gate Alley ）内に構築されている。Ａ／Ｄ変換部２ａ，２ｂは、本発明における測定部に相当し、Ａ／Ｄ変換部２ａが測定チャンネル１（以下、「ＣＨ１」ともいう）の測定部を構成すると共に、Ａ／Ｄ変換部２ｂが測定チャンネル２（以下、「ＣＨ２」ともいう）の測定部を構成する。具体的には、Ａ／Ｄ変換部２ａ，２ｂ（以下、区別しないときには「Ａ／Ｄ変換部２」ともいう）は、入力信号Ｓｉをアナログ−デジタル変換して（入力信号Ｓｉを所定のサンプリング周期でサンプリングして）サンプリングデータＤ１（本発明における測定データ）を生成する。
【００２０】
トリガ信号出力部３は、上記のＦＰＧＡ内に構築されたＡＮＤ回路およびＯＲ回路を有するトリガ検出器（図示せず）を備えている。このトリガ信号出力部３は、Ａ／Ｄ変換部２から出力されたサンプリングデータＤ１の電気的パラメータ（例えば、電圧値、電流値、周波数、位相など）と、後述するようにして予め設定された設定値との比較結果に基づいてトリガ信号Ｓｔを出力する。なお、このトリガ信号出力部３は、波形記録装置１に対して設定される動作条件（記録条件）に応じて上記のＡＮＤ回路およびＯＲ回路の接続形態が随時変更されるが、本発明についての理解を容易とするために、この接続形態の変更（ＦＰＧＡに対する設定の変更）についての説明を省略する。
【００２１】
制御部４は、主制御部８と相俟って本発明における制御部を構成し、Ａ／Ｄ変換部２によって生成されたサンプリングデータＤ１を例えば先入れ先出し法でメモリ５に順次記憶させる。また、制御部４は、トリガ信号出力部３からトリガ信号Ｓｔが出力されたとき（本発明における「記録条件が満たされたとき」の一例）に、メモリ５から所定時間分（所定サンプリング数分）のサンプリングデータＤ１を読み出して記録対象データＤ３としてデータ記録部９に記録する。さらに、制御部４は、後述するようにして、主制御部８の制御に従い、メモリ５に記憶されているサンプリングデータＤ１の所定時間当りの最大値および最小値を演算して、本発明における表示用データに相当するモニタ表示用データＤ２を生成する。
【００２２】
メモリ５は、一例として、ＳＤＲＡＭ（Synchronous Dynamic Random Access Memory）で構成されて、上記のサンプリングデータＤ１やモニタ表示用データＤ２を一時的に記憶する。操作部６は、記録条件設定用のスタートスイッチや記録開始を指示する操作スイッチ等を備え、スイッチ操作に応じた操作信号を主制御部８に出力する。表示部７は、例えばＬＣＤ（Liquid Crystal Display）で構成され、後述するように、主制御部８から出力された表示用データＤ４に基づき、動作条件設定画面１０（図２〜４参照）や記録波形表示画面３０（図５，６参照）を表示する。
【００２３】
主制御部８は、波形記録装置１を統括的に制御する。具体的には、主制御部８は、操作部６から出力された操作信号や予め設定された動作条件（設定値）に従い、トリガ信号出力部３および制御部４を制御する。また、主制御部８は、後述するようにして、制御部４から出力されたモニタ表示用データＤ２や記録対象データＤ３に基づいて、上記の動作条件設定画面１０や記録波形表示画面３０を表示させるための表示用データＤ４を生成する。データ記録部９は、一例として、リムーバブルメモリ（メモリカード等）やＨＤＤ（Hard Disc Drive） で構成されて、制御部４の制御に従って記録対象データＤ３（所定時間分のサンプリングデータＤ１）を記録する。
【００２４】
次に、波形記録装置１の使用方法について、図面を参照して説明する。なお、以下の説明においては、Ａ／Ｄ変換部２に対して測定対象体が電気的に接続されて波形記録装置１に入力信号Ｓｉが入力されているものとする。
【００２５】
この波形記録装置１による記録対象データＤ３の記録処理に際しては、まず、記録対象データＤ３の記録条件（波形記録装置１の動作条件）を設定する。具体的には、操作部６を操作することにより、図２に示す動作条件設定画面１０を表示部７に表示させる（本発明における「波形表示条件が満たされた」との状態の一例）。この場合、動作条件設定画面１０は、Ａ／Ｄ変換部２、トリガ信号出力部３および制御部４の動作条件を設定するための表示画面であって、同図に示すように、時間軸レンジ設定部１１、時間軸倍率設定部１２、ＣＨ１条件設定部１３ａ、ＣＨ２条件設定部１３ｂ、トリガ設定部１４、トリガレベル設定部１５および波形モニタ表示部２０などで構成されている。
【００２６】
時間軸レンジ設定部１１は、制御部４がサンプリングデータＤ１に基づいて記録対象データＤ３を生成する際の「時間軸方向の比率」を設定する部位であって、例えば同図に示すように「２０μｓ／ｄｉｖ」との条件が設定された状態においては、後述する記録波形表示画面３０の波形表示部３１（図５，６参照）における時間軸方向の１ｄｉｖ当りに２０μｓ分のサンプリングデータＤ１が含まれるように制御部４によって記録対象データＤ３が生成される。時間軸倍率設定部１２は、後述するようにして、制御部４がデータ記録部９に記録されている記録対象データＤ３に基づいて信号波形Ｗｂ１，Ｗｂ２（本発明における第１の信号波形の一例：図６参照）を波形表示部３１に表示させる際の「時間軸方向の表示倍率」を設定する部位であって、例えば同図に示すように「ｘ１」との条件（等倍）が設定された状態においては、波形表示部３１の１ｄｉｖ当りに時間軸レンジ設定部１１に設定された時間長（この例では、「２０μｓ」）を１倍した分の信号波形Ｗｂ１，Ｗｂ２が表示される。
【００２７】
ＣＨ１条件設定部１３ａは、Ａ／Ｄ変換部２ａによってサンプリングデータＤ１を生成する測定チャンネル１についての動作条件（測定条件）を設定する部位であって、測定レンジを設定する部位（同図における「レンジ／ｄｉｖ」の部位）、ゼロ位置を設定する部位、測定すべき電気的パラメータの種類を設定する部位（同図における「結合」の部位）、測定結果を表示する際の１ｄｉｖ当りのレンジ（同図における「倍率」の部位）などの各種の設定部位で構成されている。この場合、図２に示す例では、１ｄｉｖ当り１０ｍｖの測定レンジで、０Ｖの位置が波形表示部３１（図５，６参照）の上下方向中央部に位置するように直流電圧（ＤＣ）を表示倍率１倍（ｘ１）で測定する測定処理がＡ／Ｄ変換部２ａによって実行される。ＣＨ２条件設定部１３ｂは、Ａ／Ｄ変換部２ｂによってサンプリングデータＤ１を生成する測定チャンネル２についての動作条件（測定条件）を設定する部位であって、ＣＨ１条件設定部１３ａと同様に構成されている。
【００２８】
トリガ設定部１４は、トリガ信号出力部３にトリガ信号Ｓｔを出力させるためのトリガ出力処理の種類を指定するための部位であって、「電圧降下トリガ」、「ウィンドウトリガ」および同図に示す「レベルトリガ」などの各種のトリガ出力処理のうちから利用者によって選択された（指定された）種類のトリガ出力処理を表示する。この場合、同図に示す例では、Ａ／Ｄ変換部２ａによって生成されたサンプリングデータＤ１の電圧レベルを監視して、トリガレベル設定部１５に設定された電圧レベル（この例では、２０ｍｖ）を超えたときにトリガ信号出力部３からトリガ信号Ｓｔが出力されるとのレベルトリガが選択された状態を図示している。なお、同図では、ＣＨ１の測定結果に基づいてトリガ信号Ｓｔが出力される状態に設定した例を図示しているが、例えば、ＣＨ２のトリガ設定部１４を「レベル」に変更し、その際に表示されるトリガレベル設定部１５に例えば１０ｍｖとの設定値を入力することにより、例えば、ＣＨ１の測定結果が２０ｍｖを超え、かつ、ＣＨ２の測定結果が１０ｍｖを超えるとの記録条件が満たされたときにトリガ信号出力部３からトリガ信号Ｓｔを出力させることもできる。
【００２９】
波形モニタ表示部２０は、本発明における第２の信号波形に相当する信号波形Ｗａ１，Ｗａ２を表示する表示部位であって、制御部４によって生成されたモニタ表示用データＤ２に基づいて信号波形Ｗａ１，Ｗａ２を表示させるための波形表示部２１と、波形表示部２１に表示させた信号波形Ｗａ１（ＣＨ１に入力されている入力信号Ｓｉの信号波形）の電圧レベルを示すスケール表示２２ａと、波形表示部２１に表示させた信号波形Ｗａ２（ＣＨ２に入力されている入力信号Ｓｉの信号波形）の電圧レベルを示すスケール表示２２ｂと、ＣＨ１のトリガレベル設定部１５に設定されているトリガレベルを信号波形Ｗａ１，Ｗａ２に関連付けて（この例では、レベルトリガが設定されたＣＨ１の信号波形Ｗａ１に関連付けて）表示するためのトリガレベル表示２３とで構成されている。
【００３０】
この場合、この波形記録装置１では、時間軸レンジ設定部１１や時間軸倍率設定部１２に設定された設定値に連動して波形表示部２１の時間軸方向の表示レンジ（波形表示部２１の時間軸方向における１ｄｉｖに対応する時間長）や表示倍率（波形表示部２１における１ｄｉｖの左右方向の長さ）が規定される。また、この波形記録装置１では、ＣＨ１条件設定部１３ａおよびＣＨ２条件設定部１３ｂの各設定値に連動して、波形表示部２１における縦軸方向の表示レンジや表示倍率等、およびスケール表示２２ａ，２２ｂの表示位置や数値が規定される。さらに、この波形記録装置１では、トリガレベル設定部１５に設定した電圧レベルに連動してトリガレベル表示２３が波形表示部２１の対応する表示位置に表示される。
【００３１】
また、この波形記録装置１では、Ａ／Ｄ変換部２ａ，２ｂに入力信号Ｓｉがそれぞれ入力されている状態において、Ａ／Ｄ変換部２ａ，２ｂが動作条件設定画面１０の設定値に応じて入力信号Ｓｉについてのサンプリング処理（Ａ／Ｄ変換処理）を実行する。この際に、制御部４は、Ａ／Ｄ変換部２ａ，２ｂからそれぞれ出力されたサンプリングデータＤ１をメモリ５に順次記憶させると共に、メモリ５に記憶させたサンプリングデータＤ１に基づき、動作条件設定画面１０の設定値に応じてモニタ表示用データＤ２をそれぞれ生成してメモリ５に記憶させる。また、制御部４は、生成したモニタ表示用データＤ２を主制御部８に出力し、主制御部８が、出力されたモニタ表示用データＤ２に基づいて表示用データＤ４を生成して表示部７に出力する。これにより、図２に示すように、その時点においてＡ／Ｄ変換部２ａ，２ｂに入力されている入力信号Ｓｉについての信号波形Ｗａ１，Ｗａ２が動作条件設定画面１０内の波形モニタ表示部２０における波形表示部２１にそれぞれ表示される。
【００３２】
この際に、一例として、上記の時間軸レンジ設定部１１に対する設定値が短過ぎるとき（１ｄｉｖ当りの測定時間長が短過ぎるとき）、または、時間軸倍率設定部１２に対する設定値が小さ過ぎるとき（表示倍率が小さ過ぎるとき）には、同図に示すように、信号波形Ｗａ１，Ｗａ２の表示が１周期分にも満たない不完全な状態となる。したがって、操作部６を操作することにより、図３に示すように、一例として、時間軸レンジ設定部１１の設定値を「２０μｓ／ｄｉｖ」から「１００μｓ／ｄｉｖ」に変更する。この際には、Ａ／Ｄ変換部２ａ，２ｂが新たな動作条件（測定条件）に応じて入力信号Ｓｉについてのサンプリング処理（Ａ／Ｄ変換処理）を実行し、制御部４が、メモリ５に記憶させたサンプリングデータＤ１に基づき、新たな設定値に応じてモニタ表示用データＤ２をそれぞれ生成してメモリ５に記憶させると共に主制御部８に出力する。
【００３３】
また、主制御部８は、出力されたモニタ表示用データＤ２に基づいて表示用データＤ４を生成して表示部７に出力する。この結果、同図に示すように、その時点においてＡ／Ｄ変換部２ａ，２ｂに入力されている入力信号Ｓｉについての信号波形Ｗａ１，Ｗａ２が新たな設定値に応じて波形モニタ表示部２０における波形表示部２１にそれぞれ表示される。したがって、この波形記録装置１では、出願人が開発した従来の波形記録計のように入力信号Ｓｉの信号レベルをバーグラフで表示する構成とは異なり、波形記録装置１に対して設定した動作条件のうちの時間軸方向に関する設定が所望の状態となっているか否かを信号波形Ｗａ１，Ｗａ２を参照することで正確に認識することが可能となっている。
【００３４】
一方、同図に示すように、例えばＣＨ１の測定レンジの設定値が大き過ぎるときや表示倍率の設定値が小さ過ぎるときには、波形モニタ表示部２０の波形表示部２１に表示される信号波形Ｗａ１の振幅が小さな状態となる。したがって、操作部６を操作することにより、図４に示すように、一例として、ＣＨ１条件設定部１３ａにおける測定レンジ（レンジ／ｄｉｖ）の設定値を「１０ｍｖ」から「５ｍＶ」に変更する。この際には、Ａ／Ｄ変換部２ａ，２ｂが新たな動作条件（測定条件）に応じて入力信号Ｓｉについてのサンプリング処理（Ａ／Ｄ変換処理）を実行し、制御部４が、メモリ５に記憶させたサンプリングデータＤ１に基づき、新たな設定値に応じてモニタ表示用データＤ２をそれぞれ生成してメモリ５に記憶させると共に主制御部８に出力する。
【００３５】
また、主制御部８は、出力されたモニタ表示用データＤ２に基づいて表示用データＤ４を生成して表示部７に出力する。この結果、同図に示すように、その時点においてＡ／Ｄ変換部２ａ，２ｂに入力されている入力信号Ｓｉについての信号波形Ｗａ１，Ｗａ２が新たな設定値に応じて波形モニタ表示部２０における波形表示部２１にそれぞれ表示される。したがって、この波形記録装置１では、出願人が開発した従来の波形記録計におけるバーグラフの表示と同様にして、その時点においてＡ／Ｄ変換部２に入力されている入力信号Ｓｉの信号レベル、および、その入力信号Ｓｉについての測定条件が適正であるか否かを信号波形Ｗａ１，Ｗａ２を参照することで正確に認識することが可能となっている。
【００３６】
次いで、操作部６のスタートスイッチを操作すると、主制御部８がトリガ信号出力部３および制御部４を制御して記録対象データＤ３の記録処理を開始させると共に、図５に示すように、記録波形表示画面３０を表示部７に表示させる。この記録波形表示画面３０は、波形表示部３１、スケール表示３２ａ，３２ｂ、トリガレベル表示３３、時間軸レンジ設定部３４、時間軸倍率設定部３５、ＣＨ１条件設定部３６ａ、ＣＨ２条件設定部３６ｂおよび波形モニタ表示部２０などで構成されている。なお、この記録波形表示画面３０に表示される波形モニタ表示部２０については、前述した動作条件設定画面１０に表示される波形モニタ表示部２０と同様のため、同一の符号を付して重複する説明を省略する。この場合、同図に示す波形モニタ表示部２０の波形表示部２１には、動作条件設定画面１０において設定した各設定値に対応して生成されたモニタ表示用データＤ２に基づく信号波形Ｗａ１，Ｗａ２が表示されている。
【００３７】
この場合、波形表示部３１には、データ記録部９に対する記録対象データＤ３の記録が開始された時点（本発明における記録条件が満たされた時点）において、データ記録部９に記録された記録対象データＤ３に基づく信号波形Ｗｂ１，Ｗｂ２（図６参照）が表示される。また、スケール表示３２ａは、波形表示部３１に表示される信号波形Ｗｂ１（ＣＨ１に入力されている入力信号Ｓｉの信号波形）の電圧レベルを示し、スケール表示３２ｂは、波形表示部２１に表示される信号波形Ｗｂ２（ＣＨ２に入力されている入力信号Ｓｉの信号波形）の電圧レベルを示す。さらに、トリガレベル表示３３は、設定されているトリガレベルを信号波形Ｗｂ１，Ｗｂ２に関連付けて（この例では、レベルトリガが設定されたＣＨ１の信号波形Ｗｂ１に関連付けて）表示する。
【００３８】
また、時間軸レンジ設定部３４には、前述した動作条件設定画面１０における時間軸レンジ設定部１１に設定された設定値が表示され、時間軸倍率設定部３５には、動作条件設定画面１０における時間軸倍率設定部１２に設定された設定値が表示される。さらに、ＣＨ１条件設定部３６ａには、動作条件設定画面１０におけるＣＨ１条件設定部１３ａに設定された設定値が表示され、ＣＨ２条件設定部３６ｂには、動作条件設定画面１０におけるＣＨ２条件設定部１３ｂに設定された設定値が表示される。
【００３９】
一方、主制御部８によって記録処理の開始を指示されたトリガ信号出力部３は、Ａ／Ｄ変換部２から出力されるサンプリングデータＤ１が設定されたトリガレベル（この例では、２０ｍＶ）を超えるか否かを監視する。また、主制御部８は、記録波形表示画面３０を表示させた状態においてトリガ信号出力部３からトリガ信号Ｓｔが出力されていないとき（本発明における記録条件が満たされていないとき）に、本発明における波形表示条件が満たされていると判別して、上記したように、波形モニタ表示部２０に信号波形Ｗａ１，Ｗａ２を表示させると共に、一例として「トリガ待ち」とのメッセージ表示３７を記録波形表示画面３０の下側に表示させる。
【００４０】
この場合、例えばトリガレベルの設定値が低過ぎるときには、トリガ信号出力部３からトリガ信号Ｓｔが出力されないため、データ記録部９に対する記録対象データＤ３の記録が開始されない状態が維持される。したがって、メッセージ表示３７を見た利用者は、波形モニタ表示部２０における波形表示部２１に表示された信号波形Ｗａ１，Ｗａ２およびトリガレベル表示２３を参照して、トリガレベルの設定値が低過ぎると認識し、操作部６を操作してトリガレベルの値を変更する。この場合、一例として、トリガレベルを「２０ｍＶ」から「１０ｍＶ」に変更したときには、トリガ信号出力部３がＡ／Ｄ変換部２から出力されるサンプリングデータＤ１が１０ｍＶを超えた時点において制御部４にトリガ信号Ｓｔを出力する（本発明における「記録条件が満たされたとき」との状態の一例）。
【００４１】
一方、制御部４は、トリガ信号Ｓｔが出力されたときに、メモリ５に順次記憶させているサンプリングデータＤ１に基づいて、設定された条件に従って記録対象データＤ３を生成し、生成した記録対象データＤ３をデータ記録部９に順次記録させると共に主制御部８に出力する。また、主制御部８は、制御部４から記録対象データＤ３が出力されたときに、記録対象データＤ３の記録処理が開始されたと判別して、波形モニタ表示部２０およびメッセージ表示３７の表示を中止する（波形モニタ表示部２０およびメッセージ表示３７を消去する）と共に、出力された記録対象データＤ３に基づいて表示用データＤ４を生成し、図６に示すように、その時点においてデータ記録部９に記録対象データＤ３が記録されている入力信号Ｓｉの信号波形Ｗｂ１，Ｗｂ２を波形表示部３１にそれぞれ表示させる。
【００４２】
この場合、主制御部８は、波形表示部３１内のトリガレベル表示３３を変更後のトリガレベルで信号波形Ｗｂ１，Ｗｂ２に関連付けて表示する。また、主制御部８は、ＣＨ１の測定値が上記のトリガレベルを超えた時点を特定可能にトリガ位置表示３８を信号波形Ｗｂ１に関連付けて波形表示部３１に表示させる。この後、主制御部８は、設定された記録時間が経過したときに、制御部４を制御して記録対象データＤ３の生成（データ記録部９に対する記録処理）を停止させる。これにより、一例の記録処理が完了する。
【００４３】
なお、記録波形表示画面３０に表示させた波形モニタ表示部２０のトリガレベル表示２３および信号波形Ｗａ１に基づいて、トリガレベルの設定値が低過ぎると認識して設定値を変更する例について説明したが、前述した動作条件設定画面１０に表示させた波形モニタ表示部２０においても設定したトリガレベルに応じてトリガレベル表示２３が信号波形Ｗａ１に関連付けて表示される。したがって、この表示に基づいて、トリガレベルの設定値が低過ぎると認識して設定値を変更することもできる。この際には、動作条件設定画面１０を表示させた状態において適正なトリガレベルが設定されるため、操作部６のスタートスイッチを操作した時点において、上記のように波形モニタ表示部２０やメッセージ表示３７が記録波形表示画面３０に表示されることなく、記録対象データＤ３の記録および信号波形Ｗｂ１，Ｗｂ２の表示が開始される。
【００４４】
このように、この波形記録装置１および波形記録装置１による信号波形の表示方法では、本発明における波形表示条件が満たされたとき（この例では、動作条件設定画面１０の表示を指示されたとき、および、記録波形表示画面３０を表示させている状態においてトリガ信号Ｓｔが出力されていないとき）に制御部４がＡ／Ｄ変換部２ａ，２ｂによって生成されたサンプリングデータＤ１に基づいてモニタ表示用データＤ２を生成して主制御部８に出力すると共に主制御部８がモニタ表示用データＤ２に基づいて入力信号Ｓｉの信号波形Ｗａ１，Ｗａ２（波形モニタ表示部２０における波形表示部２１）を表示部７に表示させる。
【００４５】
したがって、この波形記録装置１、および波形記録装置１による信号波形の表示方法によれば、出願人が開発した従来の波形記録計のようにその時点における入力信号Ｓｉの信号レベルをバーグラフで表示させる構成とは異なり、時間軸方向の設定値を含む記録条件が適正な条件に設定されているか否かを正確かつ容易に認識させることができる。このため、この波形記録装置１、および波形記録装置１による信号波形の表示方法によれば、表示された信号波形Ｗａ１，Ｗａ２を参照して、各記録条件を適正かつ容易に設定することができる。
【００４６】
また、この波形記録装置１、および波形記録装置１による信号波形の表示方法によれば、主制御部８が、動作条件設定画面１０の表示を指示されたときに本発明における波形表示条件が満たされたとして制御部４を制御してモニタ表示用データＤ２を生成させてモニタ表示用データＤ２に基づく信号波形Ｗａ１，Ｗａ２を表示部７に表示させることにより、例えば適当な動作条件を設定して記録処理を実行し、その後に、メモリに記録されているデータに基づく信号波形を表示させて、動作条件の設定が適正な設定値であるか否かを判別するといった煩雑な作業を行うことなく、動作条件設定画面１０を表示させた状態を維持して、その時点における入力信号Ｓｉの信号波形Ｗａ１，Ｗａ２を参照しつつ、動作条件を設定することができる。このため、この種の波形記録装置の操作に不慣れな利用者に対しても、所望の（適正な）動作条件を容易に設定させることができる。
【００４７】
また、この波形記録装置１、および波形記録装置１による信号波形の表示方法によれば、主制御部８が、信号波形Ｗｂ１，Ｗｂ２を表示するための記録波形表示画面３０を表示部７に表示させている状態において記録条件が満たされていないとき（この例では、トリガ信号Ｓｔが出力されていないとき）に本発明における波形表示条件が満たされたとして制御部４を制御してモニタ表示用データＤ２を生成させてモニタ表示用データＤ２に基づく信号波形Ｗａ１，Ｗａ２を表示部７に表示させることにより、記録対象データＤ３の記録が開始されないとき（記録条件が満たされないとき）に、入力信号Ｓｉの信号レベルが低いことに起因して記録処理が開始されないのか、トリガレベルの設定値等が適正ではないことに起因して記録処理が開始されないのかを信号波形Ｗａ１，Ｗａ２を参照することで確実かつ容易に認識させることができる。このため、この種の波形記録装置の操作に不慣れな利用者に対しても、所望の（適正な）動作条件を容易に設定させることができる。
【００４８】
さらに、この波形記録装置１、および波形記録装置１による信号波形の表示方法によれば、主制御部８が、本発明における記録条件として設定されているトリガレベルを示すトリガレベル表示２３を信号波形Ｗａ１，Ｗａ２に関連付けて波形表示部２１に表示させることにより、記録対象データＤ３の記録が開始されないとき（記録条件が満たされないとき）に、入力信号Ｓｉの信号レベルが低いことに起因して記録処理が開始されないのか、トリガレベルの設定値等が適正ではないことに起因して記録処理が開始されないのかを信号波形Ｗａ１およびトリガレベル表示２３を参照することで一層確実かつ容易に認識させることができる。
【００４９】
なお、本発明は、上記の構成に限定されない。例えば、ＣＨ１，ＣＨ２の２つの測定チャンネルを有する波形記録装置１を例に挙げて説明したが、本発明に係る波形記録装置の構成はこれに限定されず、１つの測定チャンネル（単一のＡ／Ｄ変換部２）を有する波形記録装置や、３つ以上の測定チャンネル（３つ以上のＡ／Ｄ変換部２）を有する波形記録装置に本発明を適用することができる。また、本発明における測定データとして電圧の電気的パラメータを測定する例について説明したが、これに限らず、電流、周波数および位相などの各種電気的パラメータを測定した測定データがこれに含まれる。また、温度、湿度および風力などのパラメータを電圧などに変換したものも本発明における測定データに含まれる。さらに、表示部７を有する波形記録装置１を例に挙げて説明したが、外部装置としての表示装置に対して上記の動作条件設定画面１０や記録波形表示画面３０等を表示させる構成を採用することもできる。また、データ記録部９を有する（一体的に構成した）波形記録装置１を例に挙げて説明したが、外部装置としての各種記録装置に記録対象データＤ３を記録する構成を採用することもできる。
【図面の簡単な説明】
【００５０】
【図１】波形記録装置１の構成を示すブロック図である。
【図２】動作条件設定画面１０の一例を示す表示画面図である。
【図３】動作条件を変更した状態の動作条件設定画面１０の一例を示す表示画面図である。
【図４】動作条件を変更した状態の動作条件設定画面１０の他の一例を示す表示画面図である。
【図５】記録波形表示画面３０の一例を示す表示画面図である。
【図６】トリガレベルを変更した状態の記録波形表示画面３０の一例を示す表示画面図である。
【符号の説明】
【００５１】
１  波形記録装置
２ａ，２ｂ  Ａ／Ｄ変換部
３  トリガ信号出力部
４  制御部
５  メモリ
６  操作部
７  表示部
８  主制御部
９  データ記録部
１０  動作条件設定画面
２０  波形モニタ表示部
２１，３１  波形表示部
２２ａ，２２ｂ，３２ａ，３２ｂ  スケール表示
２３，３３  トリガレベル表示
３０  記録波形表示画面
３８  トリガ位置表示
Ｄ１  サンプリングデータ
Ｄ２  モニタ表示用データ
Ｄ３  記録対象データ
Ｄ４  表示用データ
Ｓｉ  入力信号
Ｓｔ  トリガ信号
Ｗａ１，Ｗａ２，Ｗｂ１，Ｗｂ２  信号波形
【図１】
0005160178.tif 000002
【図２】
0005160178.tif 000003
【図３】
0005160178.tif 000004
【図４】
0005160178.tif 000005
【図５】
0005160178.tif 000006
【図６】
0005160178.tif 000007